(57)【要約】      （修正有）【課題】液体収容容器において、液体供給部の液体出口に異物が到達する可能性を低減できる技術を提供する。【解決手段】液体収容容器は、液体収容部３２と、液体収容部３２を収容する収容箱と、収容箱の内部から外部に取り出し可能に収容箱に収容された液体供給部４２と、液体の流れ方向において、液体収容部３２と液体出口４８０Ｂとの間に配置された第１フィルターであって、液体を通過させ異物の通過を抑制するための複数の第１開口部を有する第１フィルターＦＴ１と、流れ方向において、第１フィルターＦＴ１と液体出口４８０Ｂとの間に配置された第２フィルターであって、液体を通過させ異物の通過を抑制するための複数の第２開口部を有する第２フィルターＦＴ２と、を備え、各第２開口部の開口面積は、各第１開口部の開口面積よりも小さい。【選択図】図１３
2019034418.tif 000002
【特許請求の範囲】
【請求項１】
液体収容容器であって、
液体を収容する液体収容部と、
前記液体収容部を収容する収容箱と、
液体出口を備え、前記液体収容部の前記液体を外部に流出させる液体供給部であって、前記収容箱の内部から外部に取り出し可能に前記収容箱に収容された液体供給部と、
前記液体収容部から前記液体出口へ向かう前記液体の流れ方向において、前記液体収容部と前記液体出口との間に配置された第１フィルターであって、前記液体を通過させ異物の通過を抑制するための複数の第１開口部を有する第１フィルターと、
前記流れ方向において、前記第１フィルターと前記液体出口との間に配置された第２フィルターであって、前記液体を通過させ前記異物の通過を抑制するための複数の第２開口部を有する第２フィルターと、を備え、
前記各第２開口部の開口面積は、前記各第１開口部の開口面積よりも小さい、液体収容容器。
【請求項２】
請求項１に記載の液体収容容器であって、
前記第１フィルターの平面視における外形の大きさと、前記第２フィルターの平面視における外形の大きさとは異なる、液体収容容器。
【請求項３】
請求項２に記載の液体収容容器であって、
前記第２フィルターの平面視における外形の大きさは、前記第１フィルターの平面視における外形の大きさよりも小さく
前記液体供給部が前記収容箱の外部に取り出された状態であって、かつ、前記液体供給部の中心軸が水平な状態である、前記液体収容容器の使用状態において、前記第２フィルターの下側には、前記第２フィルターによって捕捉した異物を滞留させるための空間部を有する、液体収容容器。
【請求項４】
請求項１から請求項３までのいずれか一項に記載の液体収容容器であって、
前記第１フィルターと前記第２フィルターとは、前記液体の流れ方向において、前記液体収容部よりも前記液体供給部に近い位置に配置されている、液体収容容器。
【請求項５】
液体収容容器であって、
液体を収容する液体収容部と、
前記液体収容部を収容する収容箱と、
液体出口を備え、前記液体収容部の前記液体を外部に流出させる液体供給部であって、前記収容箱の内部から外部に取り出し可能に前記収容箱に収容された液体供給部と、
前記液体収容部から前記液体出口へ向かう前記液体の流れ方向において、前記液体収容部と前記液体出口との間に位置し、前記液体を通過させ異物の通過を抑制するための複数の開口部を有するフィルターを配置するための、第１フィルター配置部および第２フィルター配置部と、を備え、
前記第２フィルター配置部の平面視における仮想平面の大きさは、前記第１フィルター配置部の平面視における仮想平面の大きさよりも小さい、液体収容容器。
【発明の詳細な説明】
【技術分野】
【０００１】
本発明は、液体収容容器の技術に関する。
【背景技術】
【０００２】
従来、液体収容部（液体収容袋）と、液体収容部を収容する収容箱と、を備える液体収容容器が知られている（例えば、特許文献１）。従来の技術では、液体収容部は外部（例えば、プリンター）に液体を供給するための液体供給部を有する。
【先行技術文献】
【特許文献】
【０００３】
【特許文献１】特許第５３５７２４７号明細書
【発明の概要】
【発明が解決しようとする課題】
【０００４】
従来の技術において、液体収容部の液体中には異物が含まれる場合がある。また、液体収容部の液体の種類や液体の量（液体収容部への液体の注入量）などに起因して、異物の量や異物の大きさが異なる場合がある。従来の技術において、異物が液体収容部内に存在した場合、液体収容部から液体供給部へと液体と共に異物が流入する場合がある。液体収容容器から供給された液体を吐出して消費する液体消費装置において、液体供給部の液体出口から供給される液体中に異物が存在した場合、液体の吐出不良や、液体が吐出された媒体の品質低下などの種々の問題が生じ得る。よって、従来から液体供給部の液体出口に異物が到達する可能性を低減できる技術が望まれている。
【課題を解決するための手段】
【０００５】
本発明は、上述の課題の少なくとも一部を解決するためになされたものであり、以下の形態又は適用例として実現することが可能である。
【０００６】
（１）本発明の一形態によれば、液体収容容器が提供される。この液体収容容器は、液体を収容する液体収容部と、前記液体収容部を収容する収容箱と、液体出口を備え、前記液体収容部の前記液体を外部に流出させる液体供給部であって、前記収容箱の内部から外部に取り出し可能に前記収容箱に収容された液体供給部と、前記液体収容部から前記液体出口へ向かう前記液体の流れ方向において、前記液体収容部と前記液体出口との間に配置された第１フィルターであって、前記液体を通過させ異物の通過を抑制するための複数の第１開口部を有する第１フィルターと、前記流れ方向において、前記第１フィルターと前記液体出口との間に配置された第２フィルターであって、前記液体を通過させ前記異物の通過を抑制するための複数の第２開口部を有する第２フィルターと、を備え、前記各第２開口部の開口面積は、前記各第１開口部の開口面積よりも小さい。
この形態によれば、液体収容部から液体出口へと流れる液体中に異物が存在する場合でも、第１フィルターと第２フィルターとを用いて異物を捕捉できるので、液体出口に異物が到達する可能性を低減できる。この形態によれば、第１フィルターによって第１開口部よりも大きい異物を捕捉し、第１フィルターを通過した第１開口部よりも小さく第２開口部よりも大きい異物を第２フィルターによって捕捉できる。即ち、異なる大きさの異物を第１フィルター、第２フィルターによって段階的に捕捉することができる。よって、第１フィルターおよび第２フィルターが異物で詰まる可能性を低減できるので、液体収容部から液体出口に向かう流路の圧力損失が高くなる可能性を低減できる。
【０００７】
（２）上記形態であって、前記第１フィルターの平面視における外形の大きさと、前記第２フィルターの平面視における外形の大きさとは異なってもよい。この形態によれば、平面視における、第１フィルターと第２フィルターの外形の大きさが同じ場合に比べ、第１フィルターと第２フィルターの配置スペースを小さくできる。
【０００８】
（３）上記形態であって、前記第２フィルターの平面視における外形の大きさは、前記第１フィルターの平面視における外形の大きさよりも小さく前記液体供給部が前記収容箱の外部に取り出された状態であって、かつ、液体供給部の中心軸が水平な状態である、前記液体収容容器の使用状態において、前記第２フィルターの下側には、前記第２フィルターによって捕捉した異物を滞留させるための空間部を有していてもよい。この形態によれば、平面視における外形の大きさが、第１フィルターよりも第２フィルターの方が小さいので、第２フィルターよりも下側に容易に空間部を形成できる。またこの形態によれば、第２フィルターで捕捉した異物を空間部に沈降させて滞留させることができるので、第２フィルターが異物で詰まる可能性をより低減できる。よって、液体収容部から液体出口に向かう流路の圧力損失が高くなる可能性をより低減できる。
【０００９】
（４）上記形態であって、前記第１フィルターと前記第２フィルターとは、前記液体の流れ方向において、前記液体収容部よりも前記液体供給部に近い位置に配置されていてもよい。この形態によれば、液体収容部から流出した液体中のより多くの異物を、第１フィルターおよび第２フィルターに到達する前に沈降させることができるので、第１フィルターおよび第２フィルターに異物が到達する可能性を低減できる。これにより、第１フィルターおよび第２フィルターが異物で詰まる可能性をより低減できるので、液体収容部から液体出口に向かう流路の圧力損失が高くなる可能性をより低減できる。
【００１０】
（５）本発明の他の一形態によれば、液体収容容器が提供される。この液体収容容器は、液体を収容する液体収容部と、前記液体収容部を収容する収容箱と、液体出口を備え、前記液体収容部の前記液体を外部に流出させる液体供給部であって、前記収容箱の内部から外部に取り出し可能に前記収容箱に収容された液体供給部と、前記液体収容部から前記液体出口へ向かう前記液体の流れ方向において、前記液体収容部と前記液体出口との間に位置し、前記液体を通過させ異物の通過を抑制するための複数の開口部を有するフィルターを配置するための、第１フィルター配置部および第２フィルター配置部と、を備え、前記第２フィルター配置部の平面視における仮想平面の大きさは、前記第１フィルター配置部の平面視における仮想平面の大きさよりも小さい。
この形態によれば、第１フィルター配置部と第２フィルター配置部とを有することで、フィルターを第１フィルター配置部と第２フィルター配置部の少なくともいずれか一方に配置できる。これにより、液体中の異物の大きさや異物の量に応じて、フィルターの外形の大きさを変更する際に、変更後のフィルターを配置するための別部品を準備する必要がない。よって、フィルターの外形の大きさを変更した場合でも、液体収容容器の製造コストを低減できる。
【００１１】
本発明は、液体収容容器の以外の種々の形態で実現することも可能である。例えば、液体収容容器の製造方法、液体収容容器と液体消費装置とを備える液体消費システム等の形態で実現することができる。
【図面の簡単な説明】
【００１２】
【図１】第１実施形態としての液体消費システムを示す模式図。
【図２】液体収容容器と第１チューブの一端部側とを示す斜視図。
【図３】装着部の斜視図。
【図４】液体収容容器の斜視図。
【図５】収容箱の斜視図。
【図６】液体収容体の斜視図。
【図７】接続体の分解斜視図。
【図８】接続部材の第１斜視図。
【図９】第１フィルターの正面図。
【図１０】第２フィルターの正面図。
【図１１】接続部材の第２斜視図。
【図１２】接続部材の第３斜視図。
【図１３】液体収容体の流路について説明するための図。
【図１４】第２実施形態の液体収容容器を説明するための図。
【図１５】第３実施形態の液体収容容器を説明するための図。
【図１６】第４実施形態の液体収容容器を説明するための図。
【図１７】第５実施形態の液体収容容器を説明するための図。
【図１８】第６実施形態の液体収容容器を説明するための図。
【図１９】接続部材の液体供給部を含む部分の断面図。
【図２０】第７実施形態の液体収容容器を説明するための図。
【図２１】第８実施形態の液体収容容器を説明するための図。
【図２２】第９実施形態の液体収容容器を説明するための図。
【発明を実施するための形態】
【００１３】
Ａ．第１実施形態：
Ａ−１：液体消費システムの構成：
図１は、本発明の第１実施形態としての液体消費システム１を示す模式図である。図１には、互いに直交する３つの空間軸であるＸ軸、Ｙ軸、Ｚ軸が描かれている。Ｘ軸に沿った方向をＸ軸方向とし、Ｙ軸方向に沿った方向をＹ軸方向とし、Ｚ軸に沿った方向をＺ軸方向とする。後述する液体収容容器３０が装着部２０に装着された装着状態において、重力方向（下方向）を−Ｚ軸方向、反重力方向（上方向）を＋Ｚ軸方向と定義する。また、装着状態において、Ｘ軸方向の一方の方向を＋Ｘ軸方向、Ｘ軸方向の他方の方向を−Ｘ軸方向と定義する。装着状態において、Ｘ軸方向とＹ軸方向とに平行な面（Ｘ−Ｙ平面）に液体消費システム１が設置されている。以降に説明する他の図においても、必要において装着状態におけるＸ軸、Ｙ軸、Ｚ軸を付している。
【００１４】
液体消費システム１は、液体消費装置１０と、液体収容容器３０と、メイン配置棚１９と、サブ配置棚１８と、を備える。液体消費装置１０は、布製品などの媒体に液体の一例であるインクを吐出することによって記録（印刷）を行うインクジェット式の捺染印刷機である。なお、他の実施形態では、液体消費装置１０は、用紙にインクを吐出することで記録（印刷）を行うプリンターであってもよい。
【００１５】
液体収容容器３０は、８つ設けられている。８つの液体収容容器３０は、それぞれ収容する液体（インク）の色が異なる。８つの液体収容容器３０を区別して用いる場合は、符号３０Ａ〜３０Ｈを用いる。液体収容容器３０Ａはシアン（Ｃ）の液体を収容し、液体収容容器３０Ｂはマゼンタ（Ｍ）の液体を収容し、液体収容容器３０Ｃはイエロー（Ｙ）の液体を収容し、液体収容容器３０Ｄはブラック（Ｋ）の液体を収容する。また、液体収容容器３０Ｅはレッド（Ｒ）の液体を収容し、液体収容容器３０Ｆはブルー（Ｂ）の液体を収容し、液体収容容器３０Ｇはオレンジ（Ｏ）の液体を収容し、液体収容容器３０Ｈは、グレー（ＬＫ）の液体を収容する。なお、他の実施形態では、液体収容容器３０は８つよりも少なくともよいし、多くてもよい。
【００１６】
メイン配置棚１９は、液体消費装置１０の外側に配置され、８つの液体収容容器３０を配置する。メイン配置棚１９は２段構成であり、上段には液体収容容器３０Ａ〜３０Ｄが配置され、下段には液体収容容器３０Ｅ〜３０Ｈが配置される。メイン配置棚１９には、後述する第１チューブ９８の一端部が配置されている。
【００１７】
サブ配置棚１８は、８つのサブタンク１８ａを配置する。８つのサブタンク１８ａは、８つの液体収容容器３０Ａ〜３０Ｈに対応して設けられている。液体収容容器３０Ａ〜３０Ｈと対応するサブタンク１８ａとは、可撓性を有する第１チューブ９８によって連通している。第１チューブ９８は、液体収容容器３０Ａ〜３０Ｈに対応して８つ設けられている。液体収容容器３０Ａ〜３０Ｈに収容された液体は、液体消費システム１が備える図示しない吸引機構（例えば、サブ配置棚１８に配置された図示しないポンプ）によって第１チューブ９８を通って対応するサブタンク１８ａに供給される。
【００１８】
液体消費装置１０は、外殻１２と、液体消費部１４と、制御部１６と、第１チューブ９８と、装着部２０と、第２チューブ９９とを有する。外殻１２の外形は、略直方体形状である。外殻１２は、液体消費装置１０の外表面を形成する。
【００１９】
液体消費部１４は、外殻１２の内側に配置されている。液体消費部１４は、サブタンク１８ａ毎に設けられた可撓性を有する第２チューブ９９によってサブタンク１８ａと連通する。液体消費部１４には、第２チューブ９９を通った液体が供給される。本実施形態では、液体消費装置１０が備える図示しない加圧機構（例えば、ポンプ）によってサブタンク１８ａの液体が第２チューブ９９を通って液体消費部１４に供給される。液体消費部１４は、液体を布製品などの媒体に吐出する吐出ヘッドを有している。液体消費部１４は、液体消費装置１０が備える図示しない駆動機構によってＹ軸方向に沿って往復移動する。液体消費部１４は液体を吐出しつつＹ軸方向に沿って往復移動すると共に、媒体が液体消費装置１０の搬送機構（図示せず）によって外殻１２の内側を＋Ｘ軸方向側から−Ｘ軸方向側へと移動する。これにより、媒体に液体が吐出される。液体が吐出された媒体は、外殻１２の−Ｘ軸方向側の面（前面）に設けられた排出口１７から外殻１２の外側に排出される。なお、他の実施形態では、液体消費部１４は、往復移動することなく位置が固定されたラインヘッドであってもよい。
【００２０】
制御部１６は、外殻１２の内側に配置されている。制御部１６は、液体消費装置１０の動作を制御する。例えば、制御部１６は、上述の駆動機構や搬送機構の動作を制御する。また、制御部１６は、液体収容容器３０と電気的に接続されて液体収容容器３０との間で各種情報をやり取りできる。各種情報としては、例えば、液体収容容器３０の液体の色情報や、液体収容容器３０の液体消費装置１０への装着の有無を表す情報などが挙げられる。
【００２１】
図２は、液体収容容器３０と第１チューブ９８の一端部９８ｓ側とを示す斜視図である。図２では、液体収容容器３０が装着部２０に装着された装着状態を示している。装着部２０は、第１チューブ９８の一端部９８ｓに接続されている。装着部２０は、液体収容容器３０を着脱可能に装着する。具体的には、メイン配置棚１９（図１）に配置された液体収容容器３０に向けて、装着部２０を移動させて液体収容容器３０に装着部２０を装着する。装着部２０を液体収容容器３０に装着するときの方向は−Ｙ軸方向であり、装着部２０を液体収容容器３０から取り外すときの方向は＋Ｙ軸方向である。装着するときの方向は、装着部２０を液体収容容器３０に装着する直前の方向を基準とし、取り外すときの方向は、装着部２０を液体収容容器３０から取り外す動作の直後の方向を基準としている。つまり、液体収容容器３０が装着部２０に装着されるときに、装着部２０に対して相対的に液体収容容器３０が移動する方向（装着方向）は＋Ｙ軸方向である。また、液体収容容器３０から装着部２０が取り外されるときに、装着部２０に対して相対的に液体収容容器３０が移動する方向（取り外し方向）は−Ｙ軸方向である。
【００２２】
装着部２０は、Ｘ軸方向の両側に解除部２９２（図２では、一つのみ図示）を有する。解除部２９２が押されることで、装着部２０と液体収容容器３０との係合が解除されて装着部２０が液体収容容器３０から取り外し可能となる。なお、装着状態では、液体収容容器３０が備える液体収容部３２の液体が装着部２０に供給される。装着部２０に供給された液体は、第１チューブ９８を流通する。
【００２３】
Ａ−２：装着部の構成：
図３は、装着部２０の斜視図である。図３には、理解の容易のために第１チューブ９８の一端部９８ｓ側も図示している。
【００２４】
装着部２０は、外表面を形成する装着部外殻２１を有する。装着部外殻２１の外形は略直方体形状である。装着部外殻２１は、−Ｙ軸方向側が開口した凹部であるともいえる。装着部外殻２１は、装着部第１面（装着部第１壁）２１１と、装着部第２面（装着部第２壁）２１２と、装着部第３面（装着部第３壁）２１３と、装着部第４面（装着部第４壁）２１４と、装着部第５面（装着部第５壁）２１５と、開口部２１６とを有する。
【００２５】
液体収容容器３０が装着部２０に装着された装着状態において、装着部第１面２１１は上面を形成し、装着部第２面２１２は底面を形成する。また、装着部第３面２１３は一つの側面を形成し、装着部第４面２１４は他の一つの側面を形成する。装着部第５面２１５は、凹形状の底部を形成する。開口部２１６は装着部第５面２１５と対向し、装着過程において液体収容容器３０の一部が通過する開口を規定する。装着部第１面２１１と装着部第２面２１２とはＺ軸方向に対向する。装着部第３面２１３と装着部第４面２１４とはＸ軸方向に対向する。装着部第５面２１５と開口部２１６とはＹ軸方向に対向する。装着部第１面２１１から装着部第５面２１５によって、液体収容容器の一部を収容する収容空間２１Ａを区画する。
【００２６】
装着部２０は、さらに、液体導入部２２と、装置側電気機構部２４と、係合部２６とを備える。液体導入部２２と装置側電気機構部２４と係合部２６とは、装着部２０の内側である収容空間２１Ａに配置されている。
【００２７】
液体導入部２２は、液体導入針２２３と、装着部側筒部２２１とを有する。液体導入針２２３は、Ｙ軸方向に沿って延びる中心軸２２ＣＴを有する。液体導入針２２３は内部が空洞であり、液体が流通する流路が内部に形成されている。液体導入針２２３は、装着状態において、液体収容容器３０の後述する液体供給部に接続され、液体供給部からの液体が内部に流通する。液体導入針２２３の基端部（＋Ｙ軸方向側端部）は、第１チューブ９８と連通している。
【００２８】
装着部側筒部２２１は、液体導入針２２３の中心軸２２ＣＴを中心とする外周を取り囲む。また、装着部側筒部２２１は液体導入針２２３を内側に収容する。装着部側筒部２２１の−Ｙ軸方向側端部は開口している。装着部側筒部２２１の中心軸は、液体導入針２２３の中心軸と同じである。
【００２９】
装置側電気機構部２４は、端子である電気接続部２４２と、電気接続部２４２が配置された配置台座２４１とを有する。装着状態において、装置側電気機構部２４は液体導入部２２よりも反重力方向側（＋Ｚ軸方向側）に位置する。係合部２６は、液体導入部２２よりも反重力方向側（＋Ｚ軸方向側）に位置する。装置側電気機構部２４の中心は、液体導入部２２の中心とＸ軸方向における位置が同一である。係合部２６は２つ設けられ、装置側電気機構部２４、液体導入部２２の＋Ｘ軸方向側及び−Ｘ軸方向側に１つずつ配置されている。
【００３０】
電気接続部２４２は、金属製の板状の部材であり、弾性変形可能な部材である。電気接続部２４２の一部が配置台座２４１の表面２４１ｆａから露出している。表面２４１ｆａの法線ベクトルは、−Ｚ軸方向成分と−Ｙ軸方向成分とを含む方向である。電気接続部２４２は、９つ設けられている。電気接続部２４２は、図示しない配線によって制御部１６（図１）と電気的に接続されている。
【００３１】
係合部２６は、２つ設けられている。液体収容容器３０の装着状態において、係合部２６は、−Ｙ軸方向側の端部に係合爪２６２を有する。係合部２６は液体収容容器３０の一部と係合することで、装着部２０に対して液体収容容器３０が相対的に少なくともＹ軸方向に動くことを規制する。
【００３２】
装着部第３面２１３および装着部第４面２１４に設けられた解除部２９２（図では１つのみ図示）が押されることで、係合爪２６２が収容空間２１Ａの外方側に変位することで、係合部２６と液体収容容器３０との係合が解除される。
【００３３】
Ａ−３：液体収容容器の構成：
図４は、液体収容容器３０の斜視図である。図５は、収容箱３１の斜視図である。図６は、液体収容体３５の斜視図である。
【００３４】
液体収容容器３０（図４）は、液体収容体３５と、収容箱３１とを備える。液体収容体３５（図６）は、液体収容部３２と接続体４０とを有する。液体収容部３２は、装着部２０に供給するための液体（インク）を収容する。本実施形態では、液体として染料インクを用いている。液体収容部３２は、袋体であり内部に液体が充填されている。液体収容部３２は、接続体４０の液体供給部４２と連通している。液体収容部３２の液体が消費されることで残量がゼロまたは殆ど無くなった場合、液体収容体３５は新たに取り替えられる。
【００３５】
接続体４０（図６）は、装着部２０に着脱可能である。接続体４０は、液体供給部４２と、一対の規制部４８４と、回路基板４４３と、液体注入部４６１と、供給流路４８０と、を備える。供給流路４８０は、液体収容部３２と液体供給部４２とを連通させる流路である。液体供給部４２は、Ｙ軸方向に沿って延びる筒状の部材であり、Ｙ軸方向に平行な中心軸４２ＣＴを有する。液体供給部４２は、一端に液体出口４８０Ｂを備える。また、液体供給部４２は、供給流路４８０を介して供給された液体収容部３２の液体を外部（本実施形態では、液体導入針２２３）に流出させる。液体供給部４２は、収容箱３１の内部から外部に取り出し可能に収容箱３１に収容される。この詳細は後述する。
【００３６】
回路基板４４３は、表面に設けられた複数（本実施形態では９つ）の端子と、裏面に設けられた記憶装置とを有する。記憶装置は、液体収容容器３０に関する情報（例えば、液体の色情報や、液体残量に関する情報）等を格納する。９つの本体側端子は、装着状態において、対応する電気接続部２４２（図３）と接触する。これにより、制御部１６（図１）と記憶装置との間で信号のやり取りができる。
【００３７】
一対の規制部４８４（図４）は、それぞれ板状の部材である。一対の規制部４８４は、図４に示すように液体供給部４２が収容箱３１の外部に取り出された状態取出状態）において、収容箱３１（詳細には収容箱第５面３１５）と向かい合って液体供給部４２が収容箱３１の外部から内部に向かって移動することを規制する。
【００３８】
液体注入部４６１は、Ｙ軸方向に沿って延びる円筒状の部材である。液体注入部４６１は、供給流路４８０と合流する注入流路４８２の一部を形成する。注入流路４８２は、液体収容部３２に向けて外部の液体を流通させる流路である。液体注入部４６１から液体を注入することで、注入流路４８２を通って液体収容部３２に液体を注入できる。
【００３９】
収容箱３１（図５）は、液体収容部３２を収容する。収容箱３１の外形は、略直方体形状である。本実施形態では、収容箱３１は、ダンボールによって形成されている。収容箱３１は、例えば、セルロースを主成分とする材料で形成されている。なお、他の実施形態では、収容箱３１は、他の部材（例えば、ポリプロピレンやポリエチレンなどの合成樹脂）よって形成されていてもよい。収容箱３１は、収容箱第１面（収容箱第１壁）３１１と、収容箱第２面（収容箱第２壁）３１２と、収容箱第３面（収容箱第３壁）３１３と、収容箱第４面（収容箱第４壁）３１４と、収容箱第５面（収容箱第５壁）３１５と、収容箱第６面（収容箱第６壁）３１６とを有する。
【００４０】
液体収容容器３０の装着状態において、収容箱第１面３１１は上面を形成し、収容箱第２面３１２は底面を形成する。また、収容箱第３面３１３は一つの側面を形成し、収容箱第４面３１４は他の一つの側面を形成する。収容箱第５面３１５は装着部２０と向かい合う前面を形成し、収容箱第６面３１６は後面を形成する。収容箱第１面３１１と収容箱第２面３１２とはＺ軸方向において対向する。収容箱第３面３１３と収容箱第４面３１４とはＸ軸方向において対向する。収容箱第５面３１５と収容箱第６面３１６とはＹ軸方向において対向する。収容箱第５面３１５には、接続体４０（図４）が挿通されている。これにより、接続体４０の一部は、収容箱３１の外部に露出している。なお、液体収容容器３０の運搬時などの未使用時は、接続体４０全体が収容箱３１の内部に収容される。例えば、収容箱第５面３１５に切れ目として形成された他辺３１９によって形成された開閉部３３１を開けることで接続体４０を収容箱３１の内部に収容できる。なお、他の実施形態では液体収容容器３０は収容箱３１を有さなくてもよい。
【００４１】
収容箱第５壁３１５（図５）には、液体供給部４２を収容箱３１から取り出し可能な取出開口部３５０が形成されている。取出開口部３５０は、挿通開口部３３２と、開閉部３３１が開くことで形成される開閉開口部３３５とを有する。取出開口部３５０は、本実施形態の形成位置に限らず、収容箱３１の他の壁に形成されていてもよい。また、挿通開口部３３２および開閉部３３１の形状、大きさは本実施形態に限定されるものではない。
【００４２】
挿通開口部３３２は、装着部２０に液体供給部４２が装着されたときの液体収容容器３０の使用時において、接続体４０が挿通される部分である。挿通開口部３３２は、液体収容容器３０の製品出荷時に有する収容箱第５壁３１５に形成された切れ目３３７に沿って収容箱第５壁３１５の一部を取り外すことで形成される。なお、挿通開口部３３２は、製品出荷時において開口した状態であってもよい。
【００４３】
開閉部３３１は、上辺３３０を支点に開閉可能に構成された板状の部材である。開閉部３３１は、折り目が形成された上辺３３０と、上辺３３０の両端部に位置し、収容箱第５壁３１５から切り離される他辺３３７とを有する。図５において、他辺３３７は点線で示している。なお、液体収容容器３０の製造出荷時において、他辺３３７は収容箱第５壁３１５と接続され、後に利用者によって切り離されてもよい。液体供給部４２が収容箱３１の内部から外部に取り出される際には、上辺３３０を支点として開閉部３３１を収容箱３１の外方側に開くことで開閉開口部３３５を出現させる。これにより、取出開口部３５０の開口面積を大きくした状態で、液体供給部４２が収容箱３１の外側に取り出される。液体供給部４２を取り出した後は、開閉部３３１は閉じられ、収容箱第５壁３１５の一部を構成する。
【００４４】
収容箱３１（図６）は、さらに、外壁３３に形成され、把持するための把持開口部３２０，３２１を有する。把持開口部３２０，３２１はそれぞれ、幅方向（Ｘ軸方向）に長い長円形状である。第１把持開口部３２０は、収容箱第５壁３１５に形成されている。第１把持開口部３２０は、取出開口部３５０よりも反重力方向側（上側）に位置する。第２把持開口部３２１は、収容箱第５壁３１５と対向する収容箱第６壁３１６に形成されている。利用者は、把持開口部３２０，３２１に手を挿入して把持することで、液体収容容器３０を容易に運搬できる。
【００４５】
図７は、接続体４０の分解斜視図である。接続体４０は、接続本体部材４３と、供給部材４９と、シール部材４０４と、を備える。供給部材４９は、筒状である。供給部材４９は、液体収容部３２から液体出口４８０Ｂへ向かう液体の流れ方向（第１流れ方向）において、供給流路４８０の上流端４８０Ａを形成する。供給部材４９は、合成樹脂によって形成されている。本実施形態では、供給部材４９は、ポリエチレン（ＰＥ）を主成分とした材料によって形成されている。本実施形態において、主成分とは、材料中の重量％が５０重量％よりも高い成分を意味する。
【００４６】
接続本体部材４３は、第１流れ方向において、供給流路４８０の下流端としての液体出口４８０Ｂを形成する。接続本体部材４３は、中間部材４８と、接続部材４１とを備える。中間部材４８のうち＋Ｙ軸方向側の面４８９が、接続部材４１に溶着されることで接続本体部材４３が形成されている。中間部材４８と接続部材４１とはそれぞれ、合成樹脂によって形成されている。本実施形態では、中間部材４８と接続部材４１とはそれぞれ、ポリプロピレン（ＰＰ）を主成分とした材料によって形成されている。
【００４７】
接続部材４１の外形は、略直方体形状である。接続部材４１は、第１面（第１壁）４１１と、第２面（第２壁）４１２と、第３面（第３壁）４１３と、第４面（第４壁）４１４と、第５面（第５壁）４１５と、第６面（第６壁）４１６とを有する。
【００４８】
装着状態において、第１面４１１は＋Ｚ軸方向側の端面（上面）を形成する。装着状態において、第２面４１２は−Ｚ軸方向側の端面（底面）を形成する。装着状態において、第３面４１３は−Ｘ軸方向側の端面（一の側面）を形成する。装着状態において、第４面４１４は＋Ｘ軸方向側の端面（他の側面）を形成する。装着状態において、第５面４１５は＋Ｙ軸方向側の端面（正面）を形成する。装着状態において、第６面４１６は−Ｙ軸方向側の端面（背面）を形成する。第１面４１１と第２面４１２は、装着部２０の収容空間２１Ａを形成する内周面とＺ軸方向において向かい合う部分である。第３面４１３と第４面４１４は、装着部２０の収容空間２１Ａを形成する内周面とＸ軸方向において向かい合う部分である。
【００４９】
接続部材４１は、第５面４１５から突出する液体供給部４２を備える。また、接続部材４１は、液体注入部４６１を含む注入流路４８２を有する。接続部材４１のうち液体供給部４２および液体注入部４６１よりも反重力方向側（上側）には、回路基板４４３を配置するための配置部４１９が形成されている。
【００５０】
液体供給部４２の内部には、液体が外部に漏れ出すことを抑制するための弁機構７０ａが配置されている。弁機構７０ａは、液体出口４８０Ｂ側から順に、シール部材７１と、弁体７２と、付勢部材７３と、を備える。シール部材７１は、略円環状の部材である。シール部材７１は、弁体７２の弁座として機能し、例えば、ゴムやエラストマー等の弾性体によって構成されている。シール部材７１は、液体供給部４２の内部に圧入されている。弁体７２は、略円柱状の部材である。弁体７２は、液体導入針２２３が液体供給部４２に接続される前の状態において、シール部材７１に形成された孔（弁孔）を塞ぐ。付勢部材７３は、圧縮コイルバネである。付勢部材７３は、弁体７２をシール部材７１側に向かう方向に付勢する。液体導入針２２３（図３）が液体供給部４２に接続された接続状態では、液体導入針２２３が弁体７２を上流側へと押すことで、弁体７２がシール部材７１から離れる方向に移動する。これにより、弁機構７０ａが開状態となり、液体供給部４２から液体導入針２２３への液体の供給が可能となる。
【００５１】
液体収容容器３０の初期状態において、液体供給部４２の液体出口４８０Ｂには、フィルムＳ１が貼り付けられている。フィルムＳ１は、液体導入針２２３によって破られる。
【００５２】
液体注入部４６１の内部には、液体が外部に漏れ出すことを抑制するための弁機構７０ｂが配置されている。弁機構７０ｂの各構成は、弁機構７０ａの各構成と同様の構成であるので弁機構７０ａの各構成と同一符号を付すと共に説明を省略する。液体注入部４６１の一端開口４６２には、フィルムＳ２が貼り付けられている。
【００５３】
中間部材４８は、内部に供給流路４８０の一部を形成する中間開口部４８５を有する。また、中間部材４８には、中間開口部４８５をＸ軸方向に挟むように一対の規制部４８４が設けられている。面４８９は、中間開口部４８５を取り囲むように枠状に形成されている。
【００５４】
シール部材４０４は、中間部材４８と供給部材４９とが嵌め合わされた状態において、両部材４８，４９の隙間をシールする。シール部材４０４は、中間開口部４８５を形成する円周面４８４ｆの内表面と、供給部材４９の外周面の外表面との間に密着して配置される。
【００５５】
図８は、接続部材４１の第１斜視図である。図９は、第１フィルターＦＴ１の正面図である。図１０は、第２フィルターＦＴ２の正面図である。図１１は、接続部材４１の第２斜視図である。図１２は、接続部材４１の第３斜視図である。
【００５６】
図８に示すように、接続部材４１のうち、液体供給部４２が形成された側とは反対側（第６面４１６側）には、凹部４４が形成されている。凹部４４は、底壁４４１と、底壁４４１の周縁部から−Ｙ軸方向側（上流端４８０Ａ側）に向かって立ち上がる枠状の側壁４５１とを有する。側壁４５１の端面は、中間部材４８の面４８９に溶着されている。なお、理解の容易のために、側壁４５１の端面にはシングルハッチングを付している。
【００５７】
底壁４４１には、供給流路開口４３１と、注入流路開口４２１とが形成されている。供給流路開口４３１と注入流路開口４２１とはそれぞれ、底壁４４１を貫通する貫通孔である。供給流路開口４３１は、供給流路４８０の一部であり、液体収容部３２から液体出口４８０Ｂへ向かう液体の流れ方向において、液体供給部４２の上流端を形成する。注入流路開口４２１は、注入流路４８２の一部であり、液体注入部４６１から液体収容部３２と向かう液体の流れ方向（第２流れ方向）において、液体注入部４６１の下流端を形成する。
【００５８】
凹部４４は、さらに、第１フィルターＦＴ１が取り付けられる第１区画壁４４５と、第２フィルターＦＴ２が取り付けられる第２区画壁４４６と、を有する。第１区画壁４４５は、底壁４４１から立ち上がり、供給流路開口４３１および第２区画壁４４６を取り囲む枠状の部材である。第１区画壁４４５は、側壁４５１よりも内側の位置で、底壁４４１から−Ｙ軸方向側に立ち上がる。なお、注入流路開口４２１は、第１区画壁４４５の外側に位置する。第１区画壁４４５のうち底壁４４１が位置する側とは反対側の端部４４５Ａには、第１フィルターＦＴ１が気密に取り付けられる（図１２）。取り付け方法としては、例えば、端部４４５Ａを熱溶融させて、溶融した部分を第１フィルターＦＴ１の一部に押し込んで凝固させる方法がある。ここで、第１区画壁４４５の端部４４５Ａは、第１フィルターＦＴ１を取り付ける部分であるので、「第１フィルター配置部４４５Ａ」とも呼ぶ。
【００５９】
第２区画壁４４６（図８）は、底壁４４１から立ち上がり、供給流路開口４３１を取り囲む枠状の部材である。第２区画壁４４６は、第１区画壁４４５よりも内側の位置で、底壁４４１から−Ｙ軸方向側に立ち上がる。第２区画壁４４６のうち底壁４４１が位置する側とは反対側の端部４４６Ａには、第２フィルターＦＴ２が気密に取り付けられる（図１１）。取り付け方法としては、例えば、端部４４６Ａを熱溶融させて、溶融した部分を第２フィルターＦＴ２の一部に押し込んで凝固させる方法がある。ここで、第２区画壁４４６の端部４４６Ａは、第２フィルターＦＴ２を取り付ける部分であるので、「第２フィルター配置部４４６Ａ」とも呼ぶ。
【００６０】
第１フィルターＦＴ１（図９）は、液体収容部３２から液体出口４８０Ｂへ向かう液体の流れ方向（第１流れ方向）において、液体収容部３２と液体出口４８０Ｂとの間に配置されている。本実施形態では、上記のごとく第１フィルターＦＴ１は、液体供給部４２が形成された接続部材４１に配置されている。第１フィルターＦＴ１は、メッシュフィルターであり、例えば、ステンレス鋼などの金属の棒線を織った板状部材である。第１フィルターＦＴ１は平面視において略四角形である。第１フィルターＦＴ１は、液体供給部４２の中心軸４２ＣＴと略垂直に交差するように配置されている。つまり、液体供給部４２の取出状態であって液体供給部４２の中心軸４２ＣＴが水平な状態（以下、液体収容容器３０の使用状態ともよぶ）において、第１フィルターＦＴ１は、水平方向と略直角に交わる。第１フィルターＦＴ１は、液体を通過させ異物の通過を抑制するための複数の第１開口部８２を有する。複数の第１開口部８２は、それぞれ正方形状である。なお、第１フィルターＦＴ１は、液体を通過させ異物の通過を抑制できれば他の部材（不織布や織布）によって形成されていてもよい。
【００６１】
図１２に示すように、液体収容容器３０の使用状態において、第１フィルターＦＴ１よりも下側には、側壁４５１の一部と底壁４４１の一部とによって形成された第１空間部４９８が形成されている。第１空間部４９８には、第１フィルターＦＴ１によって捕捉された異物が沈降することで滞留する。
【００６２】
第２フィルターＦＴ２（図１０）は、第１流れ方向において、第１フィルターＦＴ１と液体出口４８０Ｂとの間に配置されている。本実施形態では、上記のごとく第２フィルターＦＴ２は、液体供給部４２が形成された接続部材４１に配置されている。第２フィルターＦＴ２はメッシュフィルターであり、例えば、ステンレス鋼などの金属の棒線を織った板状部材である。第２フィルターＦＴ２は平面視において略四角形である。本実施形態では、第２フィルターＦＴ２は、第１フィルターＦＴ１と同一の部材（例えば、ステンレス鋼）によって形成されている。なお、他の実施形態では、第２フィルターＦＴ２は、第１フィルターＦＴ２と異なる部材で形成されていてもよい。第２フィルターＦＴ２は、液体供給部４２の中心軸４２ＣＴと略垂直に交差するように配置されている。つまり、第２フィルターＦＴ２は、使用状態の場合に、水平方向と略直角に交わる。第２フィルターＦＴ２は、液体を通過させ異物の通過を抑制するための複数の第２開口部９２を有する。複数の第２開口部９２は、それぞれ正方形状である。なお、第２フィルターＦＴ２は、液体を通過させ異物の通過を抑制できれば他の部材（不織布や織布）によって形成されていてもよい。
【００６３】
図１１に示すように、液体収容容器３０の使用状態において、第２フィルターＦＴ２よりも下側には、第１区画壁４４５の一部と底壁４４１の一部とによって形成された第２空間部４９９が形成されている。第２空間部４９９には、第２フィルターＦＴ２によって捕捉された異物が沈降することで滞留する。第２空間部４９９は、課題を解決するための手段に記載の「空間部」に相当する。
【００６４】
第２フィルターＦＴ２の目開き寸法Ｄ９２（図１０）は、第１フィルターＦＴ１の目開き寸法Ｄ８２（図９）よりも小さい。これにより、供給流路４８０を流れる液体が通過する領域において、各第２開口部９２の開口面積（寸法Ｄ９２×寸法Ｄ９２）は、各第１開口部８２の開口面積（寸法Ｄ８２×寸法Ｄ８２）よりも小さい。なお、第１フィルターＦＴ１と第２フィルターＦＴ２との線径は同じであってもよいし、異なっていてもよい。
【００６５】
図９および図１０に示すように、第１フィルターＦＴ１の平面視における外形の大きさと、第２フィルターＦＴ２の平面視における外形の大きさとは異なる。本実施形態では、第２フィルターＦＴ２の平面視における外形の大きさは、第１フィルターＦＴ１の平面視における外形の大きさよりも小さい。外形の大きさとは、例えば、第１フィルターＦＴ１の周縁によって囲まれる面積と、第２フィルターＦＴ２の周縁によって囲まれる面積の大小によって規定できる。
【００６６】
図１３は、液体収容体３５の流路について説明するための図である。液体収容部３２の液体は、接続体４０の内部を通って液体供給部４２に供給される。液体供給部４２に供給される液体中には、異物が含まれる場合がある。異物は、例えば、液体に熱が加えられたり、液体に振動が加えられたりすることによって液体の組成が変化することで生じる。供給流路４８０を流通する液体は、液体供給部４２に至るまでに第１フィルターＦＴ１と第２フィルターＦＴ２とを通過する。これにより、液体中に異物が存在している場合でも、第１フィルターＦＴ１と第２フィルターＦＴ２によって異物を捕捉できるので、異物が液体供給部４２に流入する可能性を低減できる。また、第１フィルターＦＴ１によって捕捉された異物は、重力方向に沈降することで、第１空間部４９８に滞留する。また、第２フィルターＦＴ２によって捕捉された異物は、重力方向に沈降することで、第２空間部４９９に滞留する。
【００６７】
上記第１実施形態によれば、液体収容部３２から液体出口４８０Ｂへと流れる液体中に異物が存在する場合でも、第１フィルターＦＴ１と第２フィルターＦＴ２とを用いて異物を捕捉できるので、液体出口４８０Ｂに異物が到達する可能性を低減できる。ここで、１つのフィルターを設けることで異物を捕捉する場合、種々の大きさの異物を捕捉するために、開口部の開口面積がある程度小さいフィルターを用いる必要が生じ得る。この場合、１つのフィルターにより多くの異物が捕捉されるため、フィルターが異物で詰まり供給流路４８０の圧力損失が高くなる。供給流路４８０の圧力損失が高くなることで、液体が液体収容部から液体出口に円滑に流れない場合が生じ得る。上記第１実施形態によれば、第１フィルターＦＴ１によって第１開口部８２よりも大きい異物を捕捉し、第１フィルターＦＴ１を通過した第１開口部８２よりも小さく第２開口部９２よりも大きい異物を第２フィルターＦＴ２によって捕捉できる。よって、第１フィルターＦＴ１および第２フィルターＦＴ２が異物で詰まる可能性を低減できるので、液体収容部３２から液体出口４８０Ｂに向かう供給流路４８０の圧力損失が高くなる可能性を低減できる。
【００６８】
また上記第１実施形態によれば、第１フィルターＦＴ１の平面視における外形の大きさと、第２フィルターＦＴ２の平面視における外形の大きさとは異なる（図９，図１０）。これにより、平面視における、第１フィルターＦＴ１と第２フィルターＦＴ２の外形の大きさが同じ場合に比べ、第１フィルターＦＴ１と第２フィルターＦＴ２の配置スペースを小さくできる。よって、液体収容容器３０の大型化を抑制できる。
【００６９】
また上記第１実施形態によれば、平面視における外形の大きさが、第１フィルターＦＴ１よりも第２フィルターＦＴ２の方が小さいので、第２フィルターＦＴ２よりも下側に容易に第２空間部４９９を形成できる（図１１）。また第１実施形態によれば、第２フィルターＦＴ２で捕捉した異物を第２空間部４９９に沈降させて滞留させることができるので、第２フィルターＦＴ２が異物で詰まる可能性をより低減できる。よって、供給流路４８０の圧力損失が高くなる可能性をより低減できる。
【００７０】
また上記第１実施形態によれば、第１フィルターＦＴ１と第２フィルターＦＴ２とはそれぞれ、接続部材４１に配置されることで、液体収容部３２から液体出口４８０Ｂへ向かう液体の第１流れ方向において液体収容部３２よりも液体供給部４２に近い位置に配置されている。これにより、第１流れ方向において、より下流側に第１フィルターＦＴ１および第２フィルターＦＴ２を配置できるので、液体収容部３２から流出した液体中のより多くの異物を、第１フィルターＦＴ１および第２フィルターＦＴ２に到達する前に沈降させることができる。よって第１フィルターＦＴ１および第２フィルターＦＴ２に異物が到達する可能性を低減できるので、第１フィルターＦＴ１および第２フィルターＦＴ２が異物で詰まる可能性をより低減できる。これにより、供給流路４８０の圧力損失が高くなる可能性をより低減できる。
【００７１】
Ｂ．第２実施形態：
上記第１実施形態では、第１フィルター配置部４４５Ａには第１フィルターＦＴ１が配置され、第２フィルター配置部４４６Ａには第２フィルターＦＴ２が配置されていたが（図８，図１１，図１２）、どちらか一方のフィルターＦＴ１，ＦＴ２のみを配置してもよいし、少なくともいずれか一方の配置部４４５Ａ，４４６ＡにフィルターＦＴ１，ＦＴ２とは異なる種類のフィルターを配置してもよい。また例えば、第１フィルターＦＴ１のみが配置される場合、第１フィルター配置部４４５Ａと第２フィルター配置部４４６Ａとのいずれかに配置してもよい。第１フィルターＦＴ１を第２フィルター配置部４４６Ａに配置する場合、第２フィルター配置部４４６Ａの大きさに対応させて、第１フィルターＦＴ１の外形を図８に示す外形よりも小さくしてもよい。また例えば、第２フィルターＦＴ２のみが配置される場合、第１フィルター配置部４４５Ａと第２フィルター配置部４４６Ａのいずれかに配置してもよい。第２フィルターＦＴ２を第１フィルター配置部４４５Ａに配置する場合、第１フィルター配置部４４５Ａの大きさに対応させて、第２フィルターＦＴ２の外形を図８に示す外形よりも大きくする。以下に第２実施形態の一例について以下に説明する。
【００７２】
図１４は、第２実施形態の液体収容容器３０Ｔを説明するための図である。図１４には、液体収容容器３０Ｔの接続部材４１Ｔと、第２フィルターＦＴ２とを図示している。第１実施形態の液体収容容器３０（図８）と異なる点は、液体収容容器３０Ｔが第１フィルターＦＴ１を有しておらず、第２フィルターＦＴ２のみを備える点と、第２フィルターＦＴ２の配置場所と外形の大きさである。その他の構成については第１実施形態と同様の構成であるので、第１実施形態と同様の構成については同一符号を付すと共に説明を省略する。
【００７３】
接続部材４１Ｔは、第１実施形態の接続部材４１（図８）と同様に、第１フィルター配置部４４５Ａと第２フィルター配置部４４６Ａとを備える。第１フィルター配置部４４５Ａと第２フィルター配置部４４６Ａとは、液体収容部３２（図６）から液体出口４８０Ｂ（図６）に向かう液体の流れ方向（第１流れ方向）において、液体収容部３２と液体出口４８０Ｂとの間に位置する。また、第１流れ方向において、第２フィルター配置部４４６Ａは、第１フィルター配置部４４５Ａよりも下流側に配置されている。
【００７４】
第２フィルター配置部４４６Ａの平面視における仮想平面の大きさは、第１フィルター配置部４４５Ａの平面視における仮想平面の大きさよりも小さい。第１フィルター配置部４４５Ａの平面視における仮想平面とは、枠状の第１フィルター配置部４４５Ａによって囲まれ、第１フィルター配置部４４５Ａによって規定される平面である。つまり、第１フィルター配置部４４５の平面視における仮想平面とは、第１フィルター配置部４４５に異物の通過を抑制するためのフィルターが配置された場合における、フィルターの面積である。フィルターの面積とは、フィルターのうちで供給流路４８０の一部を形成する、第１フィルター配置部４４５Ａの内側に位置する部分（フィルターとして有効に機能する部分）の面積（有効面積）である。第２フィルター配置部４４６Ａの平面視における仮想平面とは、枠状の第２フィルター配置部４４６Ａによって囲まれ、第２フィルター配置部４４６によって規定される平面である。つまり、第２フィルター配置部４４６の平面視における仮想平面とは、第２フィルター配置部４４６に異物の通過を抑制するためのフィルターが配置された場合における、フィルターの面積である。フィルターの面積とは、フィルターのうちで供給流路４８０の一部を形成する、第２フィルター配置部４４６Ａの内側に位置する部分（フィルターとして有効に機能する部分）の面積（有効面積）である。
【００７５】
ここで、液体収容部３２の液体の種類や液体の量（液体収容部３２への液体の注入量）に応じて、液体収容部３２の液体中に含まれる異物の大きさや異物の量が異なる場合がある。第２実施形態の液体収容容器３０Ｔは、第１フィルター配置部４４５Ａと第２フィルター配置部４４６Ａを有することで、液体収容部３２の液体中に含まれる異物の大きさや異物の量に応じたフィルターを第１フィルター配置部４４５Ａと第２フィルター配置部４４６Ａの少なくともいずれか一方に配置できる。異物の大きさや異物の量に応じて、フィルターにおける、目開き寸法（開口面積）や平面視における外形の大きさを変更する。本実施形態では、フィルターの外形の大きさは、第１フィルター配置部４４５Ａと第２フィルター配置部４４６Ａの大きさに対応させて２つの大きさに変更できる。つまり、液体収容容器３０Ｔが第１フィルター配置部４４５Ａと第２フィルター配置部４４６Ａとを有することで、より柔軟にフィルターの大きさを変更することができる。これにより、異物が液体出口４８０Ｂに到達する可能性を低減できる。
【００７６】
例えば、液体収容部３２の液体中に粒径が小さい異物が多く存在する場合、または、多く発生することが想定される場合、図１４に示すように、第１フィルター配置部４４５Ａに、第２フィルターＦＴ２を配置する。第２フィルターＦＴ２の外形の大きさは、第１フィルター配置部４４５Ａの大きさに対応して、第１実施形態に比べて大きく変更されている。これにより、粒径が小さい多くの量の異物を、フィルター面積を大きくした第２フィルターＦＴ２によって捕捉できる。
【００７７】
また例えば、液体収容部３２の液体中に粒径が大きい異物が多く存在する場合、または、多く発生することが想定される場合、第１フィルター配置部４４５Ａに第１フィルターＦＴ１を配置し、第２フィルターＦＴ２の配置は省略する。これにより、粒径が大きい多くの量の異物を、第１フィルターＦＴ１によって捕捉できる。
【００７８】
また、第２実施形態の液体収容容器３０Ｔによれば、液体収容部３２の液体中の異物の大きさ、異物の量に応じて、大きさの異なる第１フィルター配置部４４５Ａと第２フィルター配置部４４６Ａとの少なくともいずれか一方にフィルターを配置できる。これにより、フィルターの外形の大きさを変更する際に、変更後のフィルターを配置するための別部品を準備する必要がない。これにより、フィルターの外形の大きさを変更した場合でも、液体収容容器３０Ｔの製造コストを低減できる。
【００７９】
Ｃ．第３実施形態：
図１５は、第３実施形態の液体収容容器３０ａを説明するための図である。第１実施形態の液体収容容器３０（図４）と異なる点は、液体収容容器３０ａが新たに液体保持部４８８を備える点である。その他の構成については第１実施形態と同様の構成であるので、第１実施形態と同様の構成については同一符号を付すと共に説明を省略する。図示は省略しているが、液体収容容器３０ａも上記第１，２実施形態と同様に、第１フィルター配置部４４５Ａと第２フィルター配置部４４６Ａとを備えている。
【００８０】
液体収容容器３０ａの接続部材４１ａは、液体保持部４８８を備える。液体保持部４８８は、液体出口４８０Ｂから漏れ出した液体を保持するための部材である。液体保持部４８８は、液体を保持できる部材であればよい。液体保持部４８８としては、液体を吸収して保持できる液体吸収部材であってもよいし、液体を表面張力によって保持できる部材（例えば、凹凸部材）であってもよいし、液体を内部に貯留することで液体を保持できる構成（例えば、上側が開口した箱状部材）であってもよい。液体吸収部材としては、例えば、スポンジなどの多孔質部材，紙によって形成された部材，ガーゼ，綿などを用いることができる。本実施形態では、液体保持部４８８は、液体吸収部材を用いている。
【００８１】
液体保持部４８８は、液体収容容器３０ａの使用状態において、液体供給部４２よりも下側（−Ｚ軸方向側）に位置する第２面４１２上に配置されている。液体保持部４８８は、例えば、接着剤などで第２面４１２に貼り付けられている。ここで、液体導入針２２３（図３）と液体供給部４２への着脱時などにおいて、液体出口４８０Ｂから液体が漏れ出す場合がある。しかしながら、液体出口４８０Ｂから漏れ出して下方に移動する液体を液体保持部４８８によって保持できるので、液体が周囲に漏れ出して他の部材が汚れる可能性を低減できる。
【００８２】
Ｄ．第４実施形態：
図１６は、第４実施形態の液体収容容器３０ｂを説明するための図である。第３実施形態の液体収容容器３０ａ（図１５）と異なる点は、液体保持部４８８ｂの配置位置である。その他の構成については第３実施形態と同様の構成であるので、第３実施形態と同様の構成については同一符号を付すと共に説明を省略する。
【００８３】
接続部材４１ｂにおいて、中心軸４２ＣＴを中心とする液体供給部４２の周囲には、液体保持部４８８ｂが配置されている。本実施形態では、液体保持部４８８ｂは、筒状であり、液体供給部４２の基端部４２０ｅから先端部としての液体出口４８０Ｂに亘って配置されている。第３実施形態によれば、液体供給部４２の周囲に亘って液体保持部４８８ｂが配置されていることで、液体収容容器３０ｂがどのような状態（姿勢）であっても、液体出口４８０Ｂから漏れ出して下方に移動する液体を液体保持部４８８ｂによって保持できる。これにより、液体が周囲に漏れ出して他の部材が汚れる可能性をより低減できる。
【００８４】
Ｅ．第５実施形態：
図１７は、第５実施形態の液体収容容器３０ｃを説明するための図である。第４実施形態の液体収容容器３０ｂ（図１６）と異なる点は、接続部材４１ｃが有する液体保持部４８８ｃの形状である。その他の構成については第４実施形態と同様の構成であるので、第４実施形態と同様の構成については同一符号を付すと共に説明を省略する。
【００８５】
液体保持部４８８ｃは、第３実施形態の液体保持部４８８ｂに相当する第１保持部４８７ａと、第１保持部４８７ａに接続された第２保持部４８７ｂとを備える。第２保持部４８７ｂは、液体出口４８０Ｂよりも中心軸４２ＣＴに沿った方向（Ｙ軸方向）において外側に突出する。第２保持部４８７ｂは、液体収容容器３０ｃの使用状態において、液体出口４８０Ｂの真下に配置されている。ここで、液体導入針２２３によって破られたフィルムＳ１は、液体出口４８０Ｂの周囲に残る。よって、フィルムＳ１と液体出口４８０Ｂの近傍には液体が溜まりやすく、溜まった液体は下方に落ちる場合がある。本実施形態によれば、液体出口４８０ＢやフィルムＳ１の近傍に溜まった液体を第２保持部４８７ｂによって保持できるので、液体が周囲に漏れ出して他の部材が汚れる可能性をより低減できる。
【００８６】
Ｆ．第６実施形態：
図１８は、第６実施形態の液体収容容器３０ｄを説明するための図である。図１９は、接続部材４１ｄの液体供給部４２を含む部分を、中心軸４２ＣＴを通り、Ｙ軸方向とＺ軸方向に平行な面で切断した断面図である。第４実施形態の液体収容容器３０ｂ（図１６）と異なる点は、液体保持部４８８ｄのＹ軸方向の寸法と、液体保持部４８８ｄの液体供給部４２への配置方法である。その他の構成については第４実施形態と同様の構成であるので、第４実施形態と同様の構成については同一符号を付すと共に説明を省略する。
【００８７】
図１８および図１９に示すように、液体供給部４２のうち、中心軸４２ＣＴを中心とした外周面４２３にはＹ軸方向に所定の間隔を開けて配置されたリブ４２４が設けられている。各リブ４２４は、周方向に亘って外周面４２３に設けられている。隣り合うリブ４２４の間隔は、液体を表面張力によって保持できる程度に設定されている。
【００８８】
液体保持部４８８ｄは、液体保持部４８８ｂ（図１６）に比べ中心軸４２ＣＴに沿った長さが短い点で異なる。液体保持部４８８ｄは、接着剤に代えて隣り合うリブ４２４の隙間に押し込むことで液体供給部４２の周囲に配置してもよい。また、液体保持部４８８ｄは、接着剤を用いると共に、隣り合うリブ４２４の隙間に押し込むことで液体供給部４２の周囲に配置してもよい。本実施形態において、隣り合うリブ４２４の隙間も液体保持部として機能する。なお、上記第３〜第４実施形態においても、接着剤に代えて隣り合うリブ４２４の隙間に押し込むことによって液体保持部４８８ｂ，４８８ｃを配置してもよい。
【００８９】
上記第６実施形態によれば、隣り合うリブ４２４の隙間によって液体出口４８０Ｂから漏れ出した液体を保持できる。また、隣り合うリブ４２４の隙間に液体保持部４８８ｄを押し込むことで容易に液体保持部４８８ｄを配置できる。
【００９０】
Ｇ．第７実施形態：
図２０は、第７実施形態の液体収容容器３０ｅを説明するための図である。第６実施形態の液体収容容器３０ｄ（図１８）と異なる点は、接続部材４１ｅの液体保持部４８８ｅが、隣り合うリブ４２４ｅの隙間によって形成されている点である。その他の構成については第２実施形態と同様の構成であるので、第６実施形態と同様の構成については同一符号を付すと共に説明を省略する。なお、図２０には、フィルムＳ１，Ｓ１の図示は省略している。
【００９１】
液体供給部４２ｅのうち、中心軸４２ＣＴを中心とした外周面４２３にはＹ軸方向に所定の間隔を開けて配置されたリブ４２４ｅが設けられている。各リブ４２４ｅは、外周面４２３の周方向のうちで、使用状態において下側に位置する部分を除いて設けられている。これにより、外周面４２３のうち、リブ４２４ｅが形成されていないＹ軸方向に沿って延びる流路部４３５が外周面４２３に形成される。液体出口４８０Ｂから漏れ出した液体は、流路部４３５を流通して隣り合うリブ４２４ｅの隙間（液体保持部４８８ｅ）に分配されて保持される。
【００９２】
上記実施形態によれば、隣り合うリブ４２４ｅの隙間が液体保持部４８８ｅとして機能できるので、他の部材（例えば、液体吸収部材）を用いることなく液体出口４８０Ｂから漏れ出した液体を保持できる。
【００９３】
Ｈ．第８実施形態：
図２１は、第８実施形態の液体収容容器３０ｆを説明するための図である。第７実施形態の液体収容容器３０ｅ（図２０）との異なる点は、液体収容容器３０ｆが液体誘導部材４９５を有する点と、接続部材４１ｆが液体保持部４８８ｆを有する点である。その他の構成については第７実施形態と同様の構成であるので、第７実施形態と同様の構成については同一符号を付すと共に説明を省略する。
【００９４】
液体供給部４２の外周面４２３のうちで、中心軸４２ＣＴに沿ってリブ４２４ｅが配置されていない部分（第６実施液体の流路部４３５に相当する部分）には、液体誘導部材４９５が配置されている。液体誘導部材４９５は、例えば、使用状態において、外周面４２３の下側部分から下側に突出するリブである。液体誘導部材４９５は、中心軸４２ＣＴに沿った方向（Ｙ軸方向）において、液体出口４８０Ｂから液体保持部４８８ｆまで延びる。液体出口４８０Ｂから漏れ出した液体は、液体誘導部材４９５を伝って液体保持部４８８ｆに誘導される。
【００９５】
液体保持部４８８ｆは、液体供給部４２の基端部４２０ｅが接続された第５面４１５に配置されている。液体保持部４８８ｆは、上記第２実施形態の液体保持部４８８と同様、液体吸収部材を用いている。
【００９６】
上記第８実施形態によれば、液体収容容器３０ｆは、液体出口４８０Ｂから漏れ出した液体を、液体出口４８０Ｂから離れた位置に配置された液体保持部４８８ｆまで誘導するための液体誘導部材４９５を有する。これにより、液体出口４８０Ｂから漏れ出した液体を効率良く液体保持部４８８ｆに保持させることができる。
【００９７】
なお、液体誘導部材４９５の形状は上記第８実施形態に限定されるものではない。例えば、外周面４２３から下側に延びる第１リブと、第１リブの下端部に接続された水平方向に延びる第２リブとによって液体誘導部材４９５が構成されていてもよい。こうすることで、第２リブによって液体をより円滑に液体保持部４８８ｆに誘導できる。また、第２リブが、液体出口４８０Ｂから液体保持部４８８ｆに向かうにつれて下側に位置するように傾斜していてもよい。こうすることで、液体をより一層円滑に液体保持部４８８ｆに誘導できる。
【００９８】
Ｉ．第９実施形態：
図２２は、第９実施形態の液体収容容器３０ｇを説明するための図である。第３実施形態の液体収容容器３０ａ（図１５）と異なる点は、接続部材４１ｆが液体誘導部材４９５ｇを有する点である。その他の構成については第３実施形態と同様の構成であるので、第３実施形態と同様の構成については同一符号を付すと共に説明を省略する。
【００９９】
液体誘導部材４９５ｇは、液体供給部４２の外周面４２３と液体保持部４８８とに接続されたリブである。液体誘導部材４９５ｇは、外周面４２３のうち液体出口４８０Ｂを形成する部分に少なくとも接続されていればよい。液体出口４８０Ｂから漏れ出した液体は、液体誘導部材４９５ｇを伝って液体保持部４８８に誘導される。これにより、液体出口４８０Ｂから漏れ出した液体を効率良く液体保持部４８８に保持させることができる。
【０１００】
Ｊ．他の実施形態：
なお、この発明は上記の実施例や実施形態に限られるものではなく、その要旨を逸脱しない範囲において種々の態様において実施することが可能であり、例えば次のような変形も可能である。
【０１０１】
Ｊ−１．第１の他の実施形態：
上記各実施形態では、液体収容容器３０〜３０ｇは、液体収容部３２から液体出口４８０Ｂまでの間に開口部の開口面積が異なる第１フィルターＦＴ１と第２フィルターＦＴ２を有していたが、３つ以上のフィルターを有していてもよい。この場合、液体収容部３２から液体出口４８０Ｂへ向かう液体の流れ方向において、複数のフィルターは、上流側から順に開口面積が小さくなるように供給流路４８０上に配置すればよい。また、液体収容容器３０〜３０ｇは、第１フィルター配置部４４５Ａと第２フィルター配置部４４６Ａに加え、さらにフィルターを配置するための別のフィルター配置部を有していてもよい。複数のフィルター配置部は、大きさ（平面視における仮想平面の大きさ）がそれぞれ異なっていてもよい。こうすることで、より柔軟にフィルターの大きさを変更することができる。
【０１０２】
Ｊ−２．第２の他の実施形態：
上記各実施形態では、第１フィルターＦＴ１および第２フィルターＦＴ２は正方形の第１開口部８２および第２開口部９２を有していたが（図９，図１０）、第１開口部８２および第２開口部９２の形状はこれに限定されるものではない。例えば、第１開口部８２および第２開口部９２の形状は、円形や楕円であってもよく、また液体を通過させ異物の通過を抑制できる開口を形成できれば他の形状であってもよい。
【０１０３】
Ｊ−３．第３の他の実施形態：
上記各実施形態において、液体中の異物には、気泡が含まれていてもよい。第１フィルターＦＴ１によって、例えば液体の組成が変化することで生じる、固形物としての異物を捕捉し、第２フィルターＦＴ２で異物としての気泡を捕捉してもよい。このように、液体収容容器３０，３０〜３０ｇ，３０Ｔが第１フィルター配置部４４５Ａと第２フィルター配置部４４６Ａとを有することで、固形物としての異物を捕捉するためのフィルターと、気泡としての異物を捕捉するためのフィルターとを配置できる。つまり、目的別のフィルターを取り付けることができる。
【０１０４】
Ｊ−４．第４の他の実施形態：
本発明は、インクジェット式の捺染印刷機、及び、インクジェット式の捺染印刷機にインクを供給するための液体収容容器に限らず、インク以外の他の液体を吐出する任意の液体消費装置及びその液体を収容するための液体収容容器にも適用することができる。例えば、以下のような各種の液体消費装置及びその液体収容容器に適用可能である。
（１）ファクシミリ装置等の画像記録装置
（２）液晶ディスプレイ等の画像表示装置用のカラーフィルターの製造に用いられる色材噴射装置
（３）有機ＥＬ(Electro Luminescence)ディスプレイや、面発光ディスプレイ (Field Emission Display、ＦＥＤ)等の電極形成に用いられる電極材噴射装置
（４）バイオチップ製造に用いられる生体有機物を含む液体を噴射する液体噴射装置
（５）精密ピペットとしての試料噴射装置
（６）潤滑油の噴射装置
（７）樹脂液の噴射装置
（８）時計やカメラ等の精密機械にピンポイントで潤滑油を噴射する液体噴射装置
（９）光通信素子等に用いられる微小半球レンズ（光学レンズ）などを形成するために紫外線硬化樹脂液等の透明樹脂液を基板上に噴射する液体噴射装置
（１０）基板などをエッチングするために酸性又はアルカリ性のエッチング液を噴射する液体噴射装置
（１１）他の任意の微小量の液滴を吐出させる液体噴射ヘッドを備える液体噴射装置。
【０１０５】
なお、「液滴」とは、液体噴射装置から吐出される液体の状態をいい、粒状、涙状、糸状に尾を引くものも含むものとする。また、ここでいう「液体」とは、液体噴射装置が噴射させることができるような材料であれば良い。例えば、「液体」は、物質が液相であるときの状態の材料であれば良く、粘性の高い又は低い液状態の材料、及び、ゾル、ゲル水、その他の無機溶剤、有機溶剤、溶液、液状樹脂、液状金属（金属融液）のような液状態の材料も「液体」に含まれる。また、物質の一状態としての液体のみならず、顔料や金属粒子などの固形物からなる機能材料の粒子が溶媒に溶解、分散または混合されたものなども「液体」に含まれる。また、液体の代表的な例としては上記実施形態で説明したようなインクや液晶等が挙げられる。ここで、インクとは一般的な水性インクおよび油性インク並びにジェルインク、ホットメルトインク等の各種の液体状組成物を包含するものとする。
【０１０６】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０１０７】
１…液体消費システム、１０…液体消費装置、１２…外殻、１４…液体消費部、１６…制御部、１７…排出口、１８…サブ配置棚、１８ａ…サブタンク、１９…メイン配置棚、２０…装着部、２１…装着部外殻、２１Ａ…収容空間、２２…液体導入部、２２ＣＴ…中心軸、２４…装置側電気機構部、２６…係合部、３０，３０ａ〜３０ｇ，３０Ａ〜３０Ｈ，３０Ｔ…液体収容容器、３１…収容箱、３２…液体収容部、３３…外壁、３５…液体収容体、４０…接続体、４１，４１ａ〜４１ｆ，４１Ｔ…接続部材、４２，４２ｅ…液体供給部、４２ＣＴ…中心軸、４３…接続本体部材、４４…凹部、４８…中間部材、４９…供給部材、７０ａ…弁機構、７０ｂ…弁機構、７１…シール部材、７２…弁体、７３…付勢部材、８２…第１開口部、９２…第２開口部、９８…第１チューブ、９８ｓ…一端部、９９…第２チューブ、２１１…装着部第１面、２１２…装着部第２面、２１３…装着部第３面、２１４…装着部第４面、２１５…装着部第５面、２１６…開口部、２２１…装着部側筒部、２２３…液体導入針、２４１…配置台座、２４１ｆａ…表面、２４２…電気接続部、２６２…係合爪、２９２…解除部、３１１…収容箱第１面、３１２…収容箱第２面、３１３…収容箱第３面、３１４…収容箱第４面、３１５…収容箱第５面、３１６…収容箱第６面、３１９…他辺、３２０…第１把持開口部、３２１…第２把持開口部、３３０…上辺、３３１…開閉部、３３２…挿通開口部、３３５…開閉開口部、３３７…切れ目（他辺）、３５０…取出開口部、４０４…シール部材、４１１…第１面、４１２…第２面、４１３…第３面、４１４…第４面、４１５…第５面、４１６…第６面、４１９…配置部、４２０ｅ…基端部、４２１…注入流路開口、４２３…外周面、４２４，４２４ｅ…リブ、４３１…供給流路開口、４３５…流路部、４４１…底壁、４４３…回路基板、４４５…第１区画壁、４４５Ａ…端部（第１フィルター配置部）、４４６…第２区画壁、４４６Ａ…端部（第２フィルター配置部）、４５１…側壁、４６１…液体注入部、４６２…一端開口、４８０…供給流路、４８０Ａ…上流端、４８０Ｂ…液体出口、４８２…注入流路、４８４…規制部、４８４ｆ…円周面、４８５…中間開口部、４８７ａ…第１保持部、４８７ｂ…第２保持部、４８８，４８８ｂ〜４８８ｆ…液体保持部、４８９…面、４９５，４９５ｇ…液体誘導部材、４９８…第１空間部、４９９…第２空間部、Ｄ８２…寸法、Ｄ９２…寸法、ＦＴ１…第１フィルター、ＦＴ２…第２フィルター、Ｓ１…フィルム、Ｓ２…フィルム
【図１】
2019034418.tif 000003
【図２】
2019034418.tif 000004
【図３】
2019034418.tif 000005
【図４】
2019034418.tif 000006
【図５】
2019034418.tif 000007
【図６】
2019034418.tif 000008
【図７】
2019034418.tif 000009
【図８】
2019034418.tif 000010
【図９】
2019034418.tif 000011
【図１０】
2019034418.tif 000012
【図１１】
2019034418.tif 000013
【図１２】
2019034418.tif 000014
【図１３】
2019034418.tif 000015
【図１４】
2019034418.tif 000016
【図１５】
2019034418.tif 000017
【図１６】
2019034418.tif 000018
【図１７】
2019034418.tif 000019
【図１８】
2019034418.tif 000020
【図１９】
2019034418.tif 000021
【図２０】
2019034418.tif 000022
【図２１】
2019034418.tif 000023
【図２２】
2019034418.tif 000024